(57)【要約】【課題】スクリーンの展張量にかかわらずスクリーンを収納する後期にダンパーによる制動力を作用させる自動巻取り式スクリーン装置を提供する。【解決手段】一方向クラッチ機構３０は、巻取りボックスに固定した固定軸１７にダンパー２５を介して設けたダンパー側のクラッチ片３１と、巻取軸６と一体的に回転するがその軸線方向には摺動自在とした巻取軸側のクラッチ片３５とを備え、且つ両クラッチ片３１，３５を噛合する方向に付勢するクラッチスプリング３４及びスクリーン７の展張開始時に巻取軸６の回転後にクラッチスプリング３４の付勢力に抗して両クラッチ片３１，３５を離間させるクラッチの時間差作動手段を備える。【選択図】        図１
2004346707.tif 000002
【特許請求の範囲】
【請求項１】
スクリーンを巻き付ける巻取軸に内蔵されたコイルスプリングの捩りによる回転付勢力をスクリーンの巻取用の駆動源とし、上記スクリーンの先端に開閉操作用の操作框を取り付けて、該スクリーンを開閉するようにした自動巻取り式のスクリーン装置であって、
巻取りボックスに上記巻取軸を回転自在に支持させると共に、その巻取りボックスの一端のブラケットに対して固定的に設けたコイルスプリングの他端を巻取軸に回転不能に取り付けたスプリング受けに取り付け、上記巻取りボックスのブラケットに固定された固定軸と巻取軸との間に、該巻取軸に対して制動力を作用させるダンパーを設け、
上記固定軸上に、上記コイルスプリングの回転付勢力に抗してスクリーンを展張する方向に巻取軸を回転させる場合には、ダンパーと巻取軸との間の接続が断たれ、巻取軸がスクリーンを巻き込む方向に回転する場合には、少なくとも巻取りの後期において上記ダンパーと巻取軸との間が接続される一方向クラッチ機構を介装したものにおいて、
該一方向クラッチ機構は、上記巻取りボックスに固定した固定軸にダンパーを介して設けたダンパー側のクラッチ片と、巻取軸と一体的に回転するがその軸線方向には摺動自在とした巻取軸側のクラッチ片とを備え、且つ両クラッチ片を相互に噛合する方向に付勢するクラッチスプリング、及びスクリーンの開閉に際しスクリーンの全巻取り状態から巻取軸が一定数の回転を行う間両クラッチ片を接合状態に保ち、その後に上記クラッチスプリングの付勢力に抗して上記両クラッチ片を離間させるように作動するクラッチの時間差作動手段を備えた、
ことを特徴とする自動巻取り式スクリーン装置。
【請求項２】
クラッチの時間差作動手段として、巻取軸側のクラッチ片に対して上記固定軸の軸線方向に相対的に移動可能にした移動部材を備え、そのクラッチ片と移動部材を巻取軸と一体的に回転するがその軸線方向には摺動自在として、それらの間にクラッチスプリングを介装し、且つ上記移動部材を固定軸に対して螺旋動作機構を介して連結し、
上記螺旋動作機構は、スクリーンを展張する方向に巻取軸を回転させる場合には、初期の一定数の回転において、上記両クラッチ片が相互に噛合した状態で、上記移動部材がダンパー側から離間する方向に駆動され、一定数回転後において、上記巻取軸側のクラッチ片と移動部材が一体となってダンパー側から離間する方向に駆動されるものとし、スクリーンを巻き込む方向に巻取軸が回転する場合には、巻取軸側のクラッチ片と移動部材が一体となってダンパー側のクラッチ片に接近する方向に駆動され、両クラッチ片が相互に噛合した後の一定数の回転において、上記移動部材のみがダンパー側のクラッチ片に接近する方向に駆動される機構として構成した、
ことを特徴とする請求項１に記載の自動巻取り式スクリーン装置。
【請求項３】
螺旋動作機構が、固定軸と移動部材に設けた相互に螺合するねじである、
ことを特徴とする請求項２に記載の自動巻取り式スクリーン装置。
【請求項４】
巻取軸側のクラッチ片と移動部材との間の摺動可能な範囲を、スクリーンの巻取りの後期におけるダンパー動作範囲とした、
ことを特徴とする請求項２または３に記載の自動巻取り式スクリーン装置。
【請求項５】
巻取りボックスのブラケットに設けた固定軸と巻取軸に設けたスプリング受けとの間にスクリーン巻取用のコイルスプリングを設け、上記ブラケットに対する該固定軸の回転により上記コイルスプリングの回転付勢力を調整可能にすると共に、該固定軸と巻取軸との間にダンパーを設けたものにおいて、
移動部材と固定軸との間の螺旋動作機構を、巻取軸によりスクリーンの巻取りを開始してからクラッチ片相互の接続によりダンパーが動作する減速開始時点まで、上記巻取軸側のクラッチ片をダンパー側のクラッチ片に近接する方向に駆動可能に設定し、
上記固定軸上に、スクリーンの展張時において上記巻取軸側のクラッチ片が該螺旋動作機構の作動範囲を超えたときに、該巻取軸側のクラッチ片を固定軸に対してその場で空転させる空転域を設けた、
ことを特徴とする請求項２乃至４のいずれかに記載の自動巻取り式スクリーン装置。
【請求項６】
一方向クラッチ機構として、ダンパー側のクラッチ片と、巻取軸と一体的に回転するがその軸線方向には摺動自在とし、内周に雌ねじを刻設した巻取軸側のクラッチ片とを備え、且つ外周に上記雌ねじに螺合させるねじを有し、固定軸上を軸線方向に摺動自在であるが回転を拘束されて摺動する移動部材、及び該移動部材をダンパー側に付勢するクラッチスプリングを備えた、
ことを特徴とする請求項１に記載の自動巻取り式スクリーン装置。
【発明の詳細な説明】
【０００１】
【発明の属する技術分野】
本発明は、防塵、遮光、断熱、防虫等のための自動巻取り式スクリーン装置に関するものであり、更に具体的には、巻取軸に内蔵したコイルスプリングの捩りによる回転付勢力をスクリーンの巻取用の駆動源とするスクリーン装置において、上記コイルスプリングによる巻取り時の衝撃及び衝突音を緩和するためのダンパーを設けた自動巻取り式のスクリーン装置に関するものである。
【０００２】
【従来の技術】
従来、コイルスプリングを駆動源とする巻取軸にスクリーンを巻き付けると共に、該スクリーンの先端に開閉操作用の操作框を取り付け、該スクリーンを自動的に巻取るようにしたスクリーン装置は、広く知られている。
この種の自動巻取り式のスクリーン装置においては、コイルスプリングの捩りの回転付勢力によりスクリーンを巻取るため、巻取りの完了時に巻取り速度が大きくなって、スクリーンの先端に取付けた操作框が巻取りボックスに衝突する際に大きな衝撃を与え、あるいは大きな衝突音を発生する可能性があり、それに対する対策として、上記巻取り速度の増大を抑制するためのダンパーを設けるなどの配慮がなされている（例えば、特許文献１参照）。
【０００３】
この従来のスクリーン装置におけるダンパーでは、通常、巻取軸の回転方向に関わらず常に巻取軸の回転力が該ダンパーに伝達され、そのダンパーに内蔵した一方向クラッチ機構により、巻取軸にスクリーンを巻取る際には該ダンパーによる抵抗を巻取軸に与え、巻き戻しによりスクリーンを展張する方向に巻取軸を回転させる場合には、上記抵抗を与えないで容易にスクリーンの展張を行えるようにしている。
【０００４】
しかしながら、上記一方向クラッチ機構はダンパーに内蔵しているので、スクリーンを展張する方向に巻取軸を回転させる場合にも、展張操作に若干の抵抗力が作用するのを避けられず、例えばオイルダンパーの場合には、ダンパー内のオイル漏れを防ぐゴムパッキンとそれを貫通する軸との摩擦による抵抗力があり、それによりスクリーンの展張のための操作が多少でも重くなるという問題がある。
また、上記ダンパーは、スクリーンの巻取りのためのコイルスプリングの巻取力を低下させるものであるため、例えばスクリーンに風等が作用している状態でのスクリーンの巻取り力は、ダンパーを設けない場合に比して著しく低下し、場合によっては巻取りが困難になる。
【０００５】
この問題を解決するため、先に特許文献２において、スクリーンを展張する場合にダンパーの作用を受けないスクリーン装置を提案し、さらに、同文献の第２実施例において、スクリーンの収納時に巻取軸に対してダンパーによる制動力を巻取り途中から作用させ、その時点まではコイルスプリングによるスクリーンの巻取り力を低減させることなく、一定量の巻取り後に上記制動力を有効に作用させる機構を提案している。
しかしながら、上記機構ではスクリーンを全開にした後に収納する場合には所期の動作を行うが、スクリーンを半開にした状態で誤って操作框を放すことにより該スクリーンが収納される場合などに上記ダンパーが機能しないことになる。
【０００６】
【特許文献１】
特願２００１−３０５３７１
【特許文献２】
特願２００２−２９４１０４
【０００７】
【発明が解決しようとする課題】
本発明の技術的課題は、コイルスプリングを駆動源とする巻取軸にスクリーンを巻き付けて、該スクリーンを自動的に巻取るようにしたスクリーン装置であって、上記巻取軸に対してダンパーによる制動力を巻取り途中から作用させ、その時点までは上記ダンパーによる制動力を作用させないようにしたスクリーン装置において、スクリーンの展張量の如何にかかわらず、スクリーンを収納する後期の一定範囲以内において上記ダンパーによる制動力を作用させるようにした自動巻取り式スクリーン装置を提供することにある。
【０００８】
【課題を解決するための手段】
上記課題を解決するための本発明は、スクリーンを巻き付ける巻取軸に内蔵されたコイルスプリングの捩りによる回転付勢力をスクリーンの巻取用の駆動源とし、上記スクリーンの先端に開閉操作用の操作框を取り付けて、該スクリーンを開閉するようにした自動巻取り式のスクリーン装置であって、巻取りボックスに上記巻取軸を回転自在に支持させると共に、その巻取りボックスの一端のブラケットに対して固定的に設けたコイルスプリングの他端を巻取軸に回転不能に取り付けたスプリング受けに取り付け、上記巻取りボックスのブラケットに固定された固定軸と巻取軸との間に、該巻取軸に対して制動力を作用させるダンパーを設け、上記固定軸上に、上記コイルスプリングの回転付勢力に抗してスクリーンを展張する方向に巻取軸を回転させる場合には、ダンパーと巻取軸との間の接続が断たれ、巻取軸がスクリーンを巻き込む方向に回転する場合には、少なくとも巻取りの後期において上記ダンパーと巻取軸との間が接続される一方向クラッチ機構を介装したものにおいて、該一方向クラッチ機構は、上記巻取りボックスに固定した固定軸にダンパーを介して設けたダンパー側のクラッチ片と、巻取軸と一体的に回転するがその軸線方向には摺動自在とした巻取軸側のクラッチ片とを備え、且つ両クラッチ片を相互に噛合する方向に付勢するクラッチスプリング、及びスクリーンの開閉に際しスクリーンの全巻取り状態から巻取軸が一定数の回転を行う間両クラッチ片を接合状態に保ち、その後に上記クラッチスプリングの付勢力に抗して上記両クラッチ片を離間させるように作動するクラッチの時間差作動手段を備えたことを特徴とするものである。
【０００９】
本発明の好ましい実施形態においては、上記クラッチの時間差作動手段として、巻取軸側のクラッチ片に対して上記固定軸の軸線方向に相対的に移動可能にした移動部材を備え、そのクラッチ片と移動部材を巻取軸と一体的に回転するがその軸線方向には摺動自在として、それらの間にクラッチスプリングを介装し、且つ上記移動部材を固定軸に対して螺旋動作機構を介して連結し、該螺旋動作機構は、スクリーンを展張する方向に巻取軸を回転させる場合には、初期の一定数の回転において、上記両クラッチ片が相互に噛合した状態で、上記移動部材がダンパー側から離間する方向に駆動され、一定数回転後において、上記巻取軸側のクラッチ片と移動部材が一体となってダンパー側から離間する方向に駆動されるものとし、スクリーンを巻き込む方向に巻取軸が回転する場合には、巻取軸側のクラッチ片と移動部材が一体となってダンパー側のクラッチ片に接近する方向に駆動され、両クラッチ片が相互に噛合した後の一定数の回転において、上記移動部材のみがダンパー側のクラッチ片に接近する方向に駆動される機構として構成することができる。この場合、螺旋動作機構は、固定軸と移動部材に設けた相互に螺合するねじで構成することができ、また、巻取軸側のクラッチ片と移動部材との間の摺動可能な範囲は、スクリーンの巻取りの後期におけるダンパー動作範囲として設定される。
【００１０】
さらに、巻取りボックスのブラケットに設けた固定軸と巻取軸に設けたスプリング受けとの間にスクリーン巻取用のコイルスプリングを設け、該固定軸の回転により上記コイルスプリングの回転付勢力を調整可能にすると共に、該固定軸と巻取軸との間にダンパーを設けたものにおいて、移動部材と固定軸との間の螺旋動作機構を、巻取軸によりスクリーンの巻取りを開始してからクラッチ片相互の接続によりダンパーが動作する減速開始時点まで、上記巻取軸側のクラッチ片をダンパー側のクラッチ片に近接する方向に駆動可能に設定し、上記固定軸上に、スクリーンの展張時において上記巻取軸側のクラッチ片が該螺旋動作機構の作動範囲を超えたときに、該巻取軸側のクラッチ片を固定軸に対してその場で空転させる空転域を設けた構成とすることができる。
【００１１】
本発明の自動巻取り式スクリーン装置においては、一方向クラッチ機構として、ダンパー側のクラッチ片と、巻取軸と一体的に回転するがその軸線方向には摺動自在とし、内周に雌ねじを刻設した巻取軸側のクラッチ片とを備え、且つ外周に上記雌ねじに螺合させるねじを有し、固定軸上を軸線方向に摺動自在であるが回転を拘束されて摺動する移動部材、及び該移動部材をダンパー側に付勢するクラッチスプリングを備えた構成とすることができる。
【００１２】
上記構成を有する自動巻取り式スクリーン装置は、スクリーンの展張量の如何にかかわらず、スクリーンを収納する後期の一定範囲以内のみにおいて上記ダンパーによる制動力を有効に作用させるようにしているので、スクリーンの展張時における抵抗を低減して操作性を改善できるばかりでなく、巻取時には巻取用コイルスプリングの巻取り力を有効に作用させることができ、また、スクリーンの展張操作の途中のスクリーンを半開にした状態で誤って操作框を放してしまった場合などにも、上記ダンパーの制動力を有効に作用させることができるので、操作框が巻取りボックスに衝突して大きな衝撃を与え、あるいは大きな衝突音を発生したり、操作框と巻取りボックスとの間に手指等を挟んで思わぬ怪我をするようなことがなく、操作性及び安全性を改善した自動巻取り式スクリーン装置を提供することができる。
【００１３】
【発明の実施の形態】
以下に、図面を参照して本発明に係る自動巻取り式のスクリーン装置の実施例について詳述する。
図１及び図２は、本発明に係る自動巻取り式のスクリーン装置の第１実施例の全体的な構成を模式的に示すもので、ここでは、スクリーンを横引き式に開閉できるようにしたスクリーン装置を示しているが、本発明のスクリーン装置は、上記横引き式に限るものではなく、上下方向に開閉するスクリーンを上方に自動巻取りする場合にも適用することができる。
また、上記スクリーン装置は、建物開口部における遮光、断熱、あるいは防虫等に適用するものとして示しているが、それらの用途に限られるものではなく、棚の前面や、食膳を配るために使用される配膳車の開口部用の防塵用スクリーン装置等にも適用することができる。
【００１４】
上記図１及び図２に示しているスクリーン装置は、建物開口部に設置するスクリーン枠１を備え、該スクリーン枠１の一方の側枠２を、スクリーン７を巻付ける回転自在の巻取軸６を支持する巻取りボックスによって構成している。上記スクリーン枠１は、上記側枠２の上下端に連結された上下枠３，４と、該側枠２に対向する他方の側枠５とを相互に連結することにより構成され、上記側枠２を構成する巻取りボックス内の巻取軸６にコイルスプリング９を内蔵させ、このコイルスプリング９の捩りによる回転付勢力を巻取軸６のスクリーン巻取りのための駆動源として、スクリーン７を自動開放するように構成し、上記スクリーン７の先端には、開閉操作用の操作框８を取り付け、該操作框８に設けた掛け金具８ａをスクリーン７の張設時に側枠５に係合させ、スクリーン７を張設状態に保持できるようにしている。また、上記スクリーン７及び操作框８の上下端は、上記上下枠３，４に案内させている。
【００１５】
巻取りボックスの上下端のブラケット１２，１３に対して両端をそれぞれ支持部材１４，１５を介して回転自在に支持させた上記巻取軸６には、その内部に、上部のブラケット１２に端部を固定された固定軸１６を挿通すると共に、下部のブラケット１３に端部を固定された固定軸１７を挿通している。そして、上記固定軸１６に固定的に支持させたスプリング受け１８にコイルスプリング９の一端を巻着固定すると共に、該コイルスプリング９の他端を、上記固定軸１６には回転自在で巻取軸６には回転不能に取り付けたスプリング受け１９に、固定的に取り付けている。従って、スクリーン７の巻取軸６は、固定軸１６にコイルスプリング９を介して連結されている。
【００１６】
また、図３乃至図６に詳細に示すように、上記固定軸１７の先端にはオイルダンパー２５を設け、該オイルダンパー２５の回転軸２５ａと巻取軸６との間に一方向クラッチ機構３０を設けている。
この一方向クラッチ機構３０は、コイルスプリング９の回転付勢力に抗してスクリーン７を展張する方向に巻取軸６を回転させる場合には、ダンパー２５と巻取軸６との間の接続が自動的に断たれ、巻取軸６がコイルスプリング９の付勢力でスクリーン７を巻き込む方向に回転する場合には、ダンパー２５と巻取軸６との間が接続されるようにしたものである。
【００１７】
更に詳細には、上記一方向クラッチ機構３０は、上記巻取りボックスに固定した固定軸１７にオイルダンパー２５を介して設けたダンパー側のクラッチ片３１と、巻取軸６と一体的に回転するがその軸線方向には摺動自在とした巻取軸６側のクラッチ片３５とを備え、且つ両クラッチ片３１，３５を相互に噛合する方向に付勢するクラッチスプリング３４、及びスクリーン７の開閉に際し、該スクリーン７の全巻取り状態から巻取軸６が一定数の回転を行う間両クラッチ片３１，３５を接合状態に保ち、その後に上記クラッチスプリング３４の付勢力に抗して上記両クラッチ片３１，３５を離間させるように作動するクラッチの時間差作動手段を構成するクラッチ部材３２を備えている。
【００１８】
上記クラッチ部材３２は、巻取軸６側のクラッチ片３５及び該クラッチ片３５に対して上記固定軸１７の軸線方向に相対的に移動可能とした移動部材３６を備えている。該移動部材３６は、その基端のつば部３６ａの内周に雌ねじ３６ｂが設けられており、該雌ねじを上記固定軸１７に設けた雄ねじ１７ａと相互に螺合することにより上記螺旋動作機構３７を構成し、上記移動部材３６をクラッチ片３５に対して固定軸１７の軸線方向に相対的に移動可能としている。また、上記移動部材３６は、クラッチ片３１側の端部に設けた凸部３６ｃを上記クラッチ片３５に設けた溝３５ｂにスプライン嵌合することにより相互に嵌挿されており、該クラッチ片３５におけるクラッチ片３１側とは反対側の端部に、上記移動部材３６の凸部３６ｃが当接するストッパ３５ｃを設けることにより、クラッチ片３５と移動部材３６は上記巻取軸６と一体的に回転するが、その軸線方向には上記移動部材３６の凸部３６ｃがクラッチ片３５の溝３５ｂ内において摺動自在としている。
そして、両クラッチ片３１，３５の間には、スクリーン７を展張する方向に巻取軸６を回転させる場合には噛合しないが、スクリーン７を巻き込む方向に巻取軸６が回転する場合には噛合するクラッチ歯３１ａ，３５ａを設けている。
【００１９】
また、巻取軸側のクラッチ部材３２におけるクラッチ片３５をダンパー側のクラッチ片３１に対して両クラッチ歯３１ａ，３５ａが噛合する程度に付勢する付勢手段として、移動部材３６の基端のつば部３６ａとクラッチ片３５との間にクラッチスプリング３４を設けている。このクラッチスプリング３４は、図１のスクリーン装置を上下いずれの姿勢で設置した場合にもクラッチ片３５をクラッチ片３１に対して常に当接させ得る程度に押すものであればよい。
【００２０】
上記螺旋動作機構３７は、巻取軸６側のクラッチ部材３２が上記固定軸１７に対して回転はするが、スクリーン７を展張する方向に巻取軸６を回転させる場合に、初期の一定数の回転においては、巻取軸６側のクラッチ片３５のクラッチ歯３５ａとダンパー２５側のクラッチ片３１のクラッチ歯３１ａが相互に滑りながら、上記移動部材３６のみがダンパー２５側から離間する方向に駆動され（図３〜図４）、一定数回転して移動部材３６の凸部３６ｃがクラッチ片３５のストッパ３５ｃに達した後においては、上記クラッチ片３５と移動部材３６が一体となってダンパー２５側から離間する方向に駆動される構造としている（図５〜図６）。
逆に、スクリーン７を巻き込む方向に巻取軸６が回転する場合には、上記クラッチ部材３２におけるクラッチ片３５と移動部材３６が一体となってダンパー２５側のクラッチ片３１に接近する方向に駆動され（図６〜図５）、巻取軸６側のクラッチ部材３２のクラッチ歯３５ａと、ダンパー２５側のクラッチ片３１のクラッチ歯３１ａが相互に噛合した後の回転においては、上記移動部材３６がダンパー２５側のクラッチ片３１に接近する方向に駆動される（図５〜図３）。この間、巻取軸６の回転が移動部材３６、クラッチ片３５、それと噛合するクラッチ片３１を介してオイルダンパー２５のケーシングに伝達され、一方、オイルダンパー２５の回転軸２５ａは固定軸１７によって巻取りボックスのブラケット１３に固定されているので、ダンパー２５が機能し、巻取軸６に制動力が与えられる。
【００２１】
上述したところからわかるように、移動部材３６と固定軸１７との間の螺旋動作機構３７は、スクリーン７の展張を開始してからその展張を行っている間、固定軸１７に対して移動部材３６をダンパー２５から離間する方向に移動させ、図５に示す距離ｄだけ移動した後にクラッチ片３５と係合して該クラッチ片３５をも同方向に移動させる。そのため、スクリーン７の巻取り時には、クラッチ片３５がクラッチ片３１から離間していない場合（図４及び図５）は、巻取りの開始と同時にクラッチ片３１，３５が接続されてダンパー２５が作動し、一方、両クラッチ片３１，３５が離間している場合（図６）には、スクリーン７の巻取りによって移動部材３６がクラッチ片３５と共にダンパー２５側に移動し、クラッチ片３５がクラッチ片３１に接触した後スクリーン７の巻取りが完了するまで、すなわち、移動部材３６が距離ｄの間を螺進する間、ダンパー２５が動作することになる。
【００２２】
上記オイルダンパー２５は、ケーシングを構成するクラッチ片３１の内部に粘性流体を介して制動筒２５ｂを回転自在に収容しており、該制動筒２５ｂの一端から延びる回転軸２５ａを上記ケーシングからシール部材２５ｃを介して導出させ、その先端を上記固定軸１７の先端に連結したものであるが、それに限らず、周知の各種構造のものを採用することができる。
【００２３】
上記構成を有する自動巻取り式スクリーン装置においては、巻取りボックスに固定した固定軸１７上のダンパー２５と巻取軸６との間に、スクリーン７の巻取り時にダンパー２５と巻取軸６とを接続する一方向クラッチ機構３０を設け、スクリーン７の展張時には、図３〜図６に示すように該一方向クラッチ機構３０により巻取軸６の回転がダンパー２５に伝達されないようにしているので、該スクリーン７の展張操作時にはダンパー２５内の摩擦等に起因する抵抗力も作用することがなく、スクリーン７の展張時における抵抗を可及的に低減し、従来のダンパー内に一方向クラッチ機構を内蔵する場合に比して、一層軽快にスクリーンの展張操作を行うことができる。
【００２４】
一方、スクリーン７をコイルスプリング９に蓄積された回転付勢力によって巻取る場合には、図３〜図５に示すように、スクリーン７の収納完了の直前における巻取軸６の数回転において上記一方向クラッチ機構３０が接続された状態になるので、巻取軸６がダンパー２５を介して固定軸１６に接続されることになり、そのため、該巻取軸６はコイルスプリング９の回転付勢力により回転するが、ダンパー２５の緩衝力によって回転速度の増大が抑制され、それによって、操作框８が巻取りボックスに衝突する際に大きな衝撃を与えたり、大きな衝突音を発生したりするのが防止される。
【００２５】
しかも、スクリーン７の展張量の如何にかかわらず、スクリーン７を収納する後期の一定範囲以内のみにおいて上記ダンパー２５による制動力を作用させるようにしているので、スクリーン７の展張時における抵抗を低減して操作性を改善できるばかりでなく、巻取時には巻取用のコイルスプリング９の巻取り力を有効に作用させることができ、また、スクリーン７の展張操作の途中のスクリーン７を半開にした状態で誤って操作框８を放してしまった場合などにも、上記ダンパー２５の制動力を有効に作用させることができ、操作框８が巻取りボックスに衝突して大きな衝撃を与え、あるいは大きな衝突音を発生したり、操作框８と巻取りボックスとの間に手指等を挟んで思わぬ怪我をするようなことがなく、延いては、従来の自動巻取り式スクリーン装置に比して、操作性及び安全性を大幅に向上させることができる。
【００２６】
図７及び図８は、本発明の第２実施例を示している。
この第２実施例の自動巻取り式スクリーン装置は、スクリーン７の巻取りのための駆動源としてのコイルスプリング９と一方向クラッチ機構部分を、巻取りボックスの上端のブラケット１２に端部を固定した固定軸１６に一体的に設けた構成としている。
なお、この第２実施例の一方向クラッチ機構部分の主たる構成は、図１及び図２によって説明した第１実施例と実質的に同一であるから、以下の第２実施例の説明では、第１実施例と同一部分については図に付した当該第１実施例の符号を用いて説明し、それらについての重複する説明は省略する。
【００２７】
この第２実施例の自動巻取り式スクリーン装置は、巻取りボックスのブラケット１２，１３に対して両端をそれぞれ支持部材１４，１５を介して回転自在に支持させた上記巻取軸６には、その内部に、上部のブラケット１２に端部を固定された固定軸１６を挿通し、該固定軸１６に固定的に支持させたスプリング受け１８にコイルスプリング９の一端を巻着固定すると共に、該コイルスプリング９の他端を、上記固定軸１６には回転自在で巻取軸６には一体的に回転するスプリング受け１９に固定的に取付けている。したがって、スクリーン７の巻取軸６は、固定軸１６にコイルスプリング９を介して連結されている。上記固定軸１６は、コイルスプリング９の回転付勢力を調整するために設けられる周知手段により、巻取りボックスのブラケットに対して任意に回転させた状態で固定できるものである。
そして、図８に詳細に示すように、上記固定軸１６の先端にはオイルダンパー２５を設け、そのオイルダンパー２５の回転軸２５ａと巻取軸６との間に一方向クラッチ機構３０を設けている。
【００２８】
上記一方向クラッチ機構３０は、上記巻取りボックスに固定した固定軸１７にオイルダンパー２５を介して設けたダンパー側のクラッチ片３１と、巻取軸６と一体的に回転するがその軸線方向には摺動自在とした巻取軸６側のクラッチ片３５とを備え、且つ両クラッチ片３１，３５を相互に噛合する方向に付勢するクラッチスプリング３４、及びスクリーン７の開閉に際し、該スクリーン７の全巻取り状態から巻取軸６が一定数の回転を行う間両クラッチ片３１，３５を接合状態に保ち、その後に上記クラッチスプリング３４の付勢力に抗して上記両クラッチ片３１，３５を離間させるように作動するクラッチの時間差作動手段を構成するクラッチ部材３２を備えている。
【００２９】
上記コイルスプリング９の回転付勢力の調整のために固定軸１６が適宜回転され、それによって固定軸１６上の雄ねじ１６ａ上における移動部材３６の位置が変わることから、スクリーン７の展張操作を継続し、クラッチ部材３２における移動部材３６が螺旋動作機構３７の作動範囲を超えたとき、すなわち、固定軸１６に刻設した雄ねじ１６ａに螺合している移動部材３６の雌ねじ３６ｂが該雄ねじ１６ａの範囲を超えたときには、上記移動部材３６を固定軸１６に対してその場で空転させるべく、該固定軸１６における雄ねじ１６ａの刻設端に、ねじのない空転域１６ｂを設けている。上記雄ねじ１６ａの刻設範囲は、完全な展張状態から巻取軸６でスクリーン７が巻き取られる際に、その途中で一対のクラッチ片３１，３５が接合されてダンパー２５が作動を開始するまでに、移動部材３６の雌ねじ３６ｂが移動する範囲にする必要がある。また、スクリーン７の長さに差があるスクリーン装置に適用する場合においても、上記空転域１６ｂでその長さの差が吸収されることになる。
【００３０】
固定軸１６上における上記空転域１６ｂにあるクラッチ部材３２における移動部材３６を雄ねじ１６ａ側に付勢するための手段として、固定軸１６上に設けたばね座５８と上記移動部材３６との間にはばね６０を設けている。このばね６０は、巻取軸６がスクリーン７の巻き取り方向に回転したときに、移動部材３６の雌ねじ３６ｂを固定軸１６の雄ねじ１６ａに対して常に螺合させ得る程度に押すものであればよい。なお、図８の状態で移動部材３６（クラッチ部材３２）の重量がその雌ねじ３６ｂを常に固定軸１６の雄ねじ１６ａに押しつけるに十分なものであれば、それを上記付勢手段としてばね６０を省略することもできる。
【００３１】
なお、この第２実施例の自動巻取り式スクリーン装置のその他の構成及び作用は、実質的に前記第１実施例と同様であるから、同一部分又は相当部分に同一符号を付して、それらの説明を省略する。
【００３２】
図９乃至図１１は、本発明の第３実施例を示している。
この第３実施例の自動巻取り式スクリーン装置は、一方向クラッチ機構６０として、ダンパー側のクラッチ片６１と、巻取軸６と一体的に回転するがその軸線方向には摺動自在とし、内周に雌ねじ６５ｂを刻設した巻取軸側のクラッチ片６５及び外周に上記雌ねじ６５ｂに螺合させるねじ６６ａを有し、固定軸１７上を軸線方向に摺動自在の移動部材６６とを備えたクラッチの時間差作動手段を構成するところのクラッチ部材６２、並びに該移動部材６６をダンパー側に付勢するクラッチスプリング６４を備えた構成としたものである。
なお、この第３実施例の一方向クラッチ機構部分を除く主たる構成は、図１及び図２によって説明した第１実施例と実質的に同一であるから、以下の第３実施例の説明では、第１実施例と同一部分については図に付した当該第１実施例の符号を用いて説明し、それらについての重複する説明は省略する。
【００３３】
第３実施例についてさらに詳述すると、上記クラッチ部材６２は、上述したように、内周に雌ねじ６５ｂを刻設した巻取軸側のクラッチ片６５及び該クラッチ片６５に対して上記固定軸１７の軸線方向に相対的に移動可能とした移動部材６６を備え、該移動部材６６の外周に設けた雄ねじ６６ａを巻取軸側のクラッチ片６５の内周の雌ねじ６５ｂと相互に螺合することにより螺旋動作機構６７を構成し、図９乃至図１１からわかるように、上記移動部材６６をクラッチ片６５に対して固定軸１７の軸線方向に相対的に移動可能としている。そして、上記移動部材６６は、その内周の対向位置に設けた溝６６ｃ，６６ｃに上記固定軸１７の軸線方向に垂直に貫通させたピン１７ａの両端を嵌入することにより、固定軸１７に回転を拘束された状態で軸線方向に摺動自在に挿嵌されている。
【００３４】
また、巻取軸側のクラッチ片６５をダンパー側のクラッチ片６１に対して両クラッチ歯６１ａ，６５ａが噛合する程度に付勢する付勢手段として、移動部材６６における巻取軸６の支持部材１５側の端部と上記固定軸１７上に設けたばね座６８との間にクラッチスプリング６４を設けている。このクラッチスプリング６４は、スクリーン装置を上下いずれの姿勢で設置した場合にもクラッチ片６５をクラッチ片６１に対して常に噛合させ得る程度に押すものであればよい。
【００３５】
上記螺旋動作機構６７は、図９に示す全巻取り状態からスクリーン７を展張する方向に巻取軸６を回転させる場合に、図１０の状態に至る初期の一定数の回転においては、巻取軸６側のクラッチ片６５のクラッチ歯６５ａとダンパー２５側のクラッチ片６１のクラッチ歯６１ａが相互に滑りながら、上記移動部材６６のみが雄ねじ６６ａと雌ねじ６５ｂの螺合によりダンパー２５側に駆動され、一定数回転して移動部材６６の端部がダンパー２５のストッパ２５ｄに達した後においては、図１０及び図１１からわかるように、移動部材６６がその位置に停止して上記クラッチ片６５がダンパー２５側から離間する方向に駆動される。
逆に、スクリーン７を巻き込む方向に巻取軸６が回転する場合には、図１１の状態から上記クラッチ片６５が雄ねじ６６ａと雌ねじ６５ｂの螺合により図１０の位置まで駆動されて、クラッチ片６５のクラッチ歯６５ａと、ダンパー２５側のクラッチ片６１のクラッチ歯６１ａが相互に噛合し、その後の回転においては、上記移動部材６６がダンパー２５側のクラッチ片６１から離間する方向に駆動され、図９の状態になる。
図９の状態になった後は、巻取軸６の回転がクラッチ片６５及びそれと噛合するクラッチ片６１を介してオイルダンパー２５のケーシングに伝達され、一方、オイルダンパー２５の回転軸２５ａは固定軸１７によって巻取りボックスのブラケットに固定されているので、ダンパー２５が機能し、巻取軸６に制動力が与えられる。
【００３６】
上述したところからわかるように、移動部材６６と固定軸１７との間の螺旋動作機構６７は、スクリーン７の展張を開始してからその展張を行っている間、固定軸１７に対して移動部材６６及びクラッチ片６５を図９の状態から図１０、図１１の状態まで移動させ、その後はクラッチ片６５をクラッチ片６１から離間する同方向に移動させ、スクリーン７の巻取り時にはその逆の動作をする。そのため、スクリーン７の巻取り時には、クラッチ片６５がクラッチ片６１から離間していない場合（図９〜図１０）は、巻取りの開始と同時にクラッチ片６１，６５が接続されてダンパー２５が作動し、一方、両クラッチ片６１，６５が離間している場合（図１１）には、スクリーン７の巻取りによって移動部材６６がクラッチ片６５をダンパー２５側に移動させ、クラッチ片６５がクラッチ片６１に接触した後スクリーン７の巻取りが完了するまで、ダンパー２５が動作することになる。
【００３７】
なお、ダンパー２５のケーシングに設けた軸接手２５ｅには、必要に応じて巻取りボックスのブラケットに設けた巻取用スプリングの固定軸（図１及び図７参照）等を連結することができる。但し、上記固定軸を連結した場合には、第２実施例と同様な趣旨で、移動部材６６の雄ねじ６６ａの上部にクラッチ片６５をその場で空転させるためのねじのない空転域を設け、且つ、巻取りボックスのブラケットに対する上記固定軸の回転によりコイルスプリングの回転付勢力を調整可能にすることが必要である。
また、この第３実施例の自動巻取り式スクリーン装置のその他の構成及び作用は、実質的に前記第１実施例と同様であるから、同一部分又は相当部分に同一符号を付して、それらの説明を省略する。
【００３８】
【発明の効果】
以上に詳述したように、本発明の自動巻取り式スクリーン装置によれば、スクリーンの展張量の如何にかかわらず、スクリーンを収納する後期の一定範囲以内のみにおいて上記ダンパーによる制動力を有効に作用させるようにしているので、スクリーンの展張時における抵抗を低減して操作性を改善できるばかりでなく、巻取時には巻取用コイルスプリングの巻取り力を有効に作用させることができ、また、スクリーンの展張操作の途中のスクリーンを半開にした状態で誤って操作框を放してしまった場合などにも、上記ダンパーの制動力を有効に作用させることができるので、操作框が巻取りボックスに衝突して大きな衝撃を与え、あるいは大きな衝突音を発生したり、操作框と巻取りボックスとの間に手指等を挟んで思わぬ怪我をするようなことがなく、操作性及び安全性を改善した自動巻取り式スクリーン装置を提供することができる。
【図面の簡単な説明】
【図１】本発明にかかる自動巻取り式スクリーン装置の第１実施例を示す部分破断正面図である。
【図２】同平断面図である
【図３】上記第１実施例のダンパー作動状態（移動部材がクラッチ片に対して移動開始）における巻取軸の拡大断面図である。
【図４】上記第１実施例のダンパー作動状態（移動部材がクラッチ片に対して移動中）における巻取軸の拡大断面図である。
【図５】上記第１実施例のダンパー作動状態（移動部材がクラッチ片に対して停止）における巻取軸の拡大断面図である。
【図６】上記第１実施例のダンパー不作動状態における巻取軸の拡大断面図である。
【図７】本発明の第２実施例の巻取軸側クラッチ片の螺動開始時（スクリーンの巻取り開始時）における部分破断正面図である。
【図８】上記第２実施例の巻取軸の拡大断面図である。
【図９】本発明の第３実施例の一方向クラッチ機構におけるスクリーンの全巻取り状態の部分破断正面図である。
【図１０】上記第３実施例の巻取軸側クラッチ片がダンパー側クラッチ片から離脱する時点における部分破断正面図である。
【図１１】上記第３実施例の巻取軸側クラッチ片の移動完了時（スクリーンの展張完了時）における部分破断正面図である。
【符号の説明】
６    巻取軸
７    スクリーン
８    操作框
９    コイルスプリング
１２，１３    ブラケット
１６，１７    固定軸
１６ａ，１７ａ  雄ねじ
１６ｂ  空転域
１８    スプリング受け
２５    オイルダンパー
３０，６０    一方向クラッチ機構
３１，３５，６１，６５    クラッチ片
３２，６２    クラッチ部材
３４，６４    クラッチスプリング
３６，６６    移動部材
３６ｂ  雌ねじ
３７，６７    螺旋動作機構
６５ｂ  雌ねじ
６６ａ  ねじ
【図１】
2004346707.tif 000003
【図２】
2004346707.tif 000004
【図３】
2004346707.tif 000005
【図４】
2004346707.tif 000006
【図５】
2004346707.tif 000007
【図６】
2004346707.tif 000008
【図７】
2004346707.tif 000009
【図８】
2004346707.tif 000010
【図９】
2004346707.tif 000011
【図１０】
2004346707.tif 000012
【図１１】
2004346707.tif 000013